(57)【要約】      （修正有）【課題】低電力Ｂｌｕｅｔｏｏｔｈ（登録商標）デバイスがマイクロロケーションを実行してモバイルデバイスを管理し、モバイルデバイスの一部の機能素子をロックしたりオフにしたりすることにより一空間内の機密性を保持できる空間マイクロロケーションモバイルデバイス管理装置を提供する。【解決手段】１つの環境１０内に分散して設置され、連続的に制御信号を生成する低電力Ｂｌｕｅｔｏｏｔｈデバイス２０と、Ｂｌｕｅｔｏｏｔｈ伝送モジュール３０２および機能素子３０６に電気的接続する管理制御モジュール３０４を備え、Ｂｌｕｅｔｏｏｔｈ伝送モジュールは無線信号により低電力Ｂｌｕｅｔｏｏｔｈデバイスに電気的接続し、低電力Ｂｌｕｅｔｏｏｔｈデバイスの制御信号に基づき管理制御モジュールを起動し、管理制御モジュールはあらかじめ設定された制限条件に基づきモバイルデバイス中の一部の機能素子をオフ状態またはロック状態にするモバイルデバイス３０と、を含む。【選択図】図１
0003201087.tif 000002
【実用新案登録請求の範囲】
【請求項１】
１つの環境内に分散して設置され、連続的に制御信号を生成する少なくとも１つの低電力Ｂｌｕｅｔｏｏｔｈ（商標登録）デバイスと、
Ｂｌｕｅｔｏｏｔｈ伝送モジュールおよび少なくとも１つの機能素子に電気的接続する管理制御モジュールを備えるモバイルデバイスであって、前記Ｂｌｕｅｔｏｏｔｈ伝送モジュールは無線信号により前記低電力Ｂｌｕｅｔｏｏｔｈデバイスに電気的接続し、前記低電力Ｂｌｕｅｔｏｏｔｈデバイスの前記制御信号に基づき前記管理制御モジュールを起動し、前記管理制御モジュールはあらかじめ設定された少なくとも１つの制限条件に基づき前記モバイルデバイス中の少なくとも１つの機能素子をオフ状態またはロック状態にする、少なくとも１つのモバイルデバイスと、を含む、
空間マイクロロケーションモバイルデバイス管理装置。
【請求項２】
前記管理制御モジュールと同期し、遠端から各前記モバイルデバイス中の前記管理制御モジュールを制御し、前記管理制御モジュールを起動した時に前記機能がオフ状態またはロック状態になるように設定する管理ホストをさらに含む、請求項１に記載の空間マイクロロケーションモバイルデバイス管理装置。
【請求項３】
前記制限条件にはカメラ、マイク、ネットワーク接続、通話の機能素子をロック状態またはオフ状態にすることを含む、請求項１に記載の空間マイクロロケーションモバイルデバイス管理装置。
【請求項４】
前記低電力Ｂｌｕｅｔｏｏｔｈデバイスの数量が３つ以上である時、前記モバイルデバイスに対しマイクロロケーションを実行できる、請求項１に記載の空間マイクロロケーションモバイルデバイス管理装置。
【請求項５】
前記管理ホストがロックした前記モバイルデバイス中の前記機能素子の管理データは前記モバイルデバイスに記憶される、請求項２に記載の空間マイクロロケーションモバイルデバイス管理装置。
【請求項６】
前記管理ホストは、各前記低電力ＢｌｕｅｔｏｏｔｈデバイスのＭＡＣ（Ｍｅｄｉａ  Ａｃｃｅｓｓ  Ｃｏｎｔｒｏｌ）番号、ＵＵＩＤ（Ｕｎｉｖｅｒｓａｌｌｙ  Ｕｎｉｑｕｅ  Ｉｄｅｎｔｉｆｉｅｒ）、メジャーデバイス番号およびマイナーデバイス番号を記憶する、請求項２に記載の空間マイクロロケーションモバイルデバイス管理装置。
【請求項７】
前記管理ホストは、各前記モバイルデバイスが提供するＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）番号または機器シリアルナンバーを含む少なくとも１つのデバイス識別データを記憶する、請求項２に記載の空間マイクロロケーションモバイルデバイス管理装置。
【考案の詳細な説明】
【技術分野】
【０００１】
本考案はモバイルデバイスを管理する技術に関し、特に、空間マイクロロケーションモバイルデバイス管理装置に関する。
【背景技術】
【０００２】
モバイルデバイスの機能が次第に向上するにつれて、カメラの画質もより鮮明になり、マイクの収音効果もさらに高まり、音質も向上しており、またアプリケーションプログラムの性能もさらに強化されている。
たとえばインスタントメッセージ用ソフトウェアは、文字だけでなく、さまざまな形式のファイルも伝送でき、データを即時にクラウドデータベースに伝送することもでき、受信側はいつでもホストデバイスでインスタントメッセージ用ソフトウェアにログインしてファイルをダウンロードでき、送信側は受信側が受信確認のクリックをするのを待たずにデータファイルを伝送できるので、非常に便利である。
【０００３】
しかし、モバイルデバイスの機能が強化されることにより、問題も発生する。たとえば多くの工場や会社では、製品が市場に公開される前に撮影されたり、会社内部の機密事項が漏洩するのを恐れ、従業員や来客にモバイルデバイスを預けるよう求め、そのために緊急時に連絡を取り難くなり、不便なことがある。また、会議中は撮影される心配はないが、密かにモバイルデバイスの録音機能を用いて録音されたり、会議中に突然携帯電話が鳴って会議が中断される等の問題も起こり得る。したがって、モバイルデバイスを一時的に預かることをしないという前提で、異なる場面でその場にいる人々のモバイルデバイスをいかに管理するかが課題となる。
【０００４】
したがって、本願では上述の問題を解決するのに有効な空間マイクロロケーションモバイルデバイス管理装置を提案する。具体的な構造およびその実施方法の詳細は後述する。
【考案の概要】
【考案が解決しようとする課題】
【０００５】
本考案の主な目的は、環境中に少なくとも１つの低電力Ｂｌｕｅｔｏｏｔｈ（商標登録）デバイスを設置し、その信号の範囲内にあるモバイルデバイスを管理し、低電力Ｂｌｕｅｔｏｏｔｈデバイスの信号範囲内のモバイルデバイスのあらかじめ設定された一部の機能素子をロック状態またはオフ状態にして空間内部の機密性を保持する、空間マイクロロケーションモバイルデバイス管理装置を提供することである。
【０００６】
本考案のもう１つの目的は、装置中に低電力Ｂｌｕｅｔｏｏｔｈデバイスが１つのみ含まれる場合、それを空間の入り口部分に設置して、その空間に入って来るモバイルデバイスを１つずつ管理できる、空間マイクロロケーションモバイルデバイス管理装置を提供することである。
【０００７】
本考案のさらなる目的は、装置中に少なくとも３つの低電力Ｂｌｕｅｔｏｏｔｈデバイスが含まれる場合、その環境を取り巻くようにそれらを分散して設置し、その環境中の低電力Ｂｌｕｅｔｏｏｔｈデバイスの信号範囲が制御空間を形成し、この制御空間に入ったモバイルデバイスの機能はロックされる、空間マイクロロケーションモバイルデバイス管理装置を提供することである。
【０００８】
本考案のさらなる目的は、遠端の管理ホストとモバイルデバイス中の管理制御モジュールを同期させることにより、モバイルデバイスの制限条件を随時調整できる、空間マイクロロケーションモバイルデバイス管理装置を提供することである。
【課題を解決するための手段】
【０００９】
上述の目的を達成するための本考案が提供する空間マイクロロケーションモバイルデバイス管理装置は、１つの環境内に分散して設置され、連続的に制御信号を発信する少なくとも１つの低電力Ｂｌｕｅｔｏｏｔｈデバイスと、Ｂｌｕｅｔｏｏｔｈ伝送モジュール、管理制御モジュールおよび少なくとも１つの機能素子を備えるモバイルデバイスであって、管理制御モジュールとＢｌｕｅｔｏｏｔｈ伝送モジュール、機能素子は電気的接続し、Ｂｌｕｅｔｏｏｔｈ伝送モジュールは無線信号により低電力Ｂｌｕｅｔｏｏｔｈデバイスに電気的接続し、低電力Ｂｌｕｅｔｏｏｔｈデバイスの発信する前記制御信号に基づき管理制御モジュールを起動し、管理制御モジュールはあらかじめ設定された少なくとも１つの制限条件に基づきモバイルデバイス中の少なくとも１つの機能素子をオフ状態またはロック状態にする、少なくとも１つのモバイルデバイスと、を含む。
【考案の効果】
【００１０】
本考案が提供する空間マイクロロケーションモバイルデバイス管理装置は、低電力Ｂｌｕｅｔｏｏｔｈデバイスとモバイルデバイス中の管理制御モジュールを組み合わせて利用するものであり、低電力Ｂｌｕｅｔｏｏｔｈデバイスを用いてモバイルデバイスに対しマイクロロケーションを実行するとともに、低電力Ｂｌｕｅｔｏｏｔｈデバイスが発信した制御信号によりモバイルデバイス中の管理制御モジュールを起動し、モバイルデバイスの一部の機能素子をロック状態またはオフ状態にすることで、制御空間範囲内におけるデータの外部流出や機密漏洩を防止する。
そして、制限条件を遠端の管理ホストにより制御することで、制限条件の内容は随時調整でき、もしくはロック状態をロック解除状態に変更することもできるので、会社内部の管理に適しており、従業員は会社の建物に入る時モバイルデバイスを預ける必要がなく、異なる機密レベルのエリアに応じてモバイルデバイスの機能の制限管理を行うことができる。
【図面の簡単な説明】
【００１１】
【図１】本考案の空間マイクロロケーションモバイルデバイス管理装置のブロック図。
【図２Ａ】本考案の空間マイクロロケーションモバイルデバイス管理装置の具体実施例を示す図。
【図２Ｂ】図２Ａの本考案の空間マイクロロケーションモバイルデバイス管理装置の具体実施例における管理方法のフローチャート。
【図３Ａ】本考案の空間マイクロロケーションモバイルデバイス管理装置のもう１つの具体実施例を示す図。
【図３Ｂ】図３Ａの本考案の空間マイクロロケーションモバイルデバイス管理装置のもう１つの具体実施例における管理方法のフローチャート。
【考案を実施するための形態】
【００１２】
本考案の目的、技術内容、特徴および達成される効果をより容易に理解するため、以下に具体実施例を挙げて詳細に説明する。
【実施例】
【００１３】
本考案が提供する空間マイクロロケーションモバイルデバイス管理装置については、まずその装置のブロック図である図１を参照されたい。
この管理装置は、少なくとも１つの低電力Ｂｌｕｅｔｏｏｔｈデバイス２０および少なくとも１つのモバイルデバイス３０を含む。低電力Ｂｌｕｅｔｏｏｔｈデバイス２０にはたとえばｉＢｅａｃｏｎ（登録商標）を用いることができ、環境１０に分散して設置する。各低電力Ｂｌｕｅｔｏｏｔｈデバイス２０内には屋内位置測位のソフトウェアである低電力Ｂｌｕｅｔｏｏｔｈ通信ソフトウェアを内蔵し、低電力Ｂｌｕｅｔｏｏｔｈ通信の信号を通じて位置測位を行い、連続的に制御信号を発信する。この低電力Ｂｌｕｅｔｏｏｔｈデバイス２０はマイクロロケーションに使用でき、発射する信号の強度によって信号の感知範囲が異なる。低電力Ｂｌｕｅｔｏｏｔｈの技術は近距離測位であるため、その信号範囲は約３〜５ｍ以内である。
モバイルデバイス３０はＢｌｕｅｔｏｏｔｈ伝送モジュール３０２、管理制御モジュール３０４および複数の機能素子３０６を備える。管理制御モジュール３０４はＢｌｕｅｔｏｏｔｈ伝送モジュール３０２および機能素子３０６に電気的接続し、またＢｌｕｅｔｏｏｔｈ伝送モジュール３０２は無線信号により低電力Ｂｌｕｅｔｏｏｔｈデバイス２０に電気的接続し、低電力Ｂｌｕｅｔｏｏｔｈデバイス２０の制御信号に基づき自動的に管理制御モジュール３０４を起動し、管理制御モジュール３０４はあらかじめ設定された少なくとも１つの制限条件に基づきモバイルデバイス３０中の対応する機能素子３０６をオフ状態またはロック状態にする。
【００１４】
上述の制限条件機能はカメラ、マイク、ネットワーク接続、通話等の機能素子３０６をロック状態またはオフ状態にすることを含む。
【００１５】
本考案の空間マイクロロケーションモバイルデバイス管理装置の具体実施例を示す図である図２Ａと、その実施例のフローチャートである図２Ｂを同時に参照されたい。
まずステップＳ１０では、モバイルデバイス３０に管理制御モジュールをインストールする。この管理制御モジュールはモバイルデバイス３０にインストールされるアプリケーションプログラムであり、モバイルデバイス中の機能素子を制御できる。続いてステップＳ１２では、低電力Ｂｌｕｅｔｏｏｔｈデバイス２０を環境１０内に設置する。図２Ａの実施例では会議室のような閉鎖的空間を例に挙げ、低電力Ｂｌｕｅｔｏｏｔｈデバイス２０は入口１０２部分に設置される。低電力Ｂｌｕｅｔｏｏｔｈデバイス２０は制御信号を連続的に発信する。ステップＳ１４では、モバイルデバイス３０中のＢｌｕｅｔｏｏｔｈ伝送モジュールが周囲環境内における低電力Ｂｌｕｅｔｏｏｔｈデバイス２０の制御信号の有無を継続的に検出する。制御信号が検出された場合、ステップＳ１６に示すように管理制御モジュールを起動する。管理制御モジュールはあらかじめ設定された少なくとも１つの制限条件に基づきモバイルデバイス３０中の少なくとも１つの機能素子をオフ状態またはロック状態にする。ステップＳ１８では、制御信号が検出されなかった場合、モバイルデバイス３０は通常のモードを維持する。たとえば、ユーザが会議室に入ると、ユーザのモバイルデバイス３０は会議室入口の低電力Ｂｌｕｅｔｏｏｔｈデバイス２０の制御信号を検出して受信し、モバイルデバイス３０が管理制御モジュールを起動すると、モバイルデバイス３０のカメラ機能素子および録音機能素子がロック状態またはオフ状態になり、モバイルデバイス３０で撮影および録音できないようになり、会議内容の外部流出が防止される。
【００１６】
モバイルデバイス３０の機能がロック状態またはオフ状態になる制限条件は遠端の管理ホスト（図中未表示）により設定される。各モバイルデバイス３０中の管理制御モジュールは管理ホストと同期するため、管理ホストが制限条件の項目を変更すると、モバイルデバイス３０も同期して制限状態を更新する。
たとえば、始めは会議室内でモバイルデバイス３０のカメラと録音の機能素子がロックされるだけだが、管理ホストがネットワーク伝送機能の制限を追加すると、モバイルデバイス３０中の管理制御モジュールは同期して、会議室内でインターネットにアクセスしていたモバイルデバイス３０のネットワーク接続をオフにして、ネットワーク伝送を行えないようにする。
【００１７】
低電力Ｂｌｕｅｔｏｏｔｈデバイスは同様に遠端の管理ホストと同期し、低電力Ｂｌｕｅｔｏｏｔｈデバイス制御信号は、管理制御モジュールに機能素子のロックまたはオフを指示する以外に、ロック解除の制御信号を送信することもでき、「ロック」の制御信号を送信するか「ロック解除」の制御信号を送信するかは管理ホストにより決定できる。
上述の実施例を用いると、会議が終了すると、管理ホストは低電力Ｂｌｕｅｔｏｏｔｈデバイスの操作モードを変更し、低電力Ｂｌｕｅｔｏｏｔｈデバイスが元はロックモードの制御信号を送信していたのを、ロック解除の制御信号を送信するように変更し、ユーザが入口から会議室を出た時、モバイルデバイスは低電力Ｂｌｕｅｔｏｏｔｈデバイスが発信した制御信号を検出し、管理制御モジュールはこの「ロック解除」の制御信号に基づき、それまでロックまたはオフ状態にあった機能素子を回復する。
【００１８】
管理ホストは各低電力ＢｌｕｅｔｏｏｔｈデバイスのＭＡＣ（Ｍｅｄｉａ  Ａｃｃｅｓｓ  Ｃｏｎｔｒｏｌ）番号、ＵＵＩＤ（Ｕｎｉｖｅｒｓａｌｌｙ  Ｕｎｉｑｕｅ  Ｉｄｅｎｔｉｆｉｅｒ）、メジャーデバイス番号およびマイナーデバイス番号を記憶する。また管理ホストは、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）番号または機器シリアルナンバーのような、各モバイルデバイスが提供するデバイス識別データを記憶する。
【００１９】
本考案の空間マイクロロケーションモバイルデバイス管理装置のもう１つの具体実施例を示す図である図３Ａと、その実施例のフローチャートである図３Ｂを同時に参照されたい。
ステップＳ３０は前述した実施例のステップＳ１０と同じであり、モバイルデバイス３０中に管理制御モジュールをインストールしてモバイルデバイス３０中の機能素子を制御する。続いてステップＳ３２では、少なくとも３つの低電力Ｂｌｕｅｔｏｏｔｈデバイス２０を環境１０内に設置する。図３Ａの実施例では、展示場のようなオープンスペースまたは直径が約５ｍを超えるスペースを例に挙げ、低電力Ｂｌｕｅｔｏｏｔｈデバイス２０は環境１０の各所に分散設置され、低電力Ｂｌｕｅｔｏｏｔｈデバイス２０は制御信号を連続的に発信する。ステップＳ３４では、モバイルデバイス３０中のＢｌｕｅｔｏｏｔｈ伝送モジュールは、周囲環境内における低電力Ｂｌｕｅｔｏｏｔｈデバイス２０の制御信号の有無を継続的に検出し、制御信号が検出された場合は、ステップＳ３６に示されるように、管理制御モジュールを起動する。管理制御モジュールはあらかじめ設定された少なくとも１つの制限条件に基づきモバイルデバイス３０中の少なくとも１つの機能素子をオフ状態またはロック状態にする。ステップＳ３８では、制御信号が検出されなかった場合、モバイルデバイス３０は通常のモードを維持する。
ただし、図２Ａおよび図２Ｂの実施例と異なり、３つの低電力Ｂｌｕｅｔｏｏｔｈデバイス２０は環境１０内で制御空間１０４を構成し、この制御空間１０４に入ったモバイルデバイス３０の機能を制限するだけでなく、モバイルデバイス３０に対して三角測量を行うこともできるので、モバイルデバイス３０の位置を正確に測定でき、制御空間１０４の外のモバイルデバイスが誤って認識されることはない。
【００２０】
たとえば環境が工場である場合、工場内は複数の実験室に区切られ、各実験室には図３Ａのような少なくとも３つの低電力Ｂｌｕｅｔｏｏｔｈデバイスを設置する。各実験室によってそれぞれ異なる制御空間が形成され、制限条件も制御空間によって異なる。たとえばＡ実験室では撮影録画が禁止され、Ｂ実験室では撮影録画も通話も禁止されているとする。これらの制限条件は、異なる実験室に入るモバイルデバイスに応じて、遠端の管理ホストによりそれぞれ管理される。
たとえばモバイルデバイスは、Ｎｏ．００１〜００３の低電力Ｂｌｕｅｔｏｏｔｈデバイスが構成する制御空間に入ると、前記低電力Ｂｌｕｅｔｏｏｔｈデバイスが発信した制御信号を受信し、管理制御モジュールを起動させた後、Ｎｏ．００１〜００３の低電力Ｂｌｕｅｔｏｏｔｈデバイスが構成する制御空間で制限およびロックされるべき機能素子が何であるかを管理ホストにより把握し、当該機能素子をオフ状態またはロック状態にする。
【００２１】
ユーザのモバイルデバイス中のネットワーク接続がオフになっても（たとえばＢｌｕｅｔｏｏｔｈ伝送モジュールがオフになる）、管理制御モジュールは、自らモバイルデバイス上のＢｌｕｅｔｏｏｔｈ伝送モジュールをオンにして低電力Ｂｌｕｅｔｏｏｔｈデバイスが送信する制御信号をモバイルデバイスに感知させるとともに、モバイルデバイスのネットワーク接続をオンにし、かつモバイルデバイスのあらかじめ設定された機能素子をオフ状態またはロック状態にすることができる。
【００２２】
上述の記載は本考案の好ましい実施例に過ぎず、本考案の実施範囲を限定するものではない。したがって、本考案の実用新案登録請求の範囲で述べられた特徴および精神に基づき加えられた各種の変更や潤色は全て、本考案の実用新案登録請求の範囲内に含まれる。
【符号の説明】
【００２３】
１０    環境
１０２  入口
１０４  制御空間
２０    低電力Ｂｌｕｅｔｏｏｔｈデバイス
３０    モバイルデバイス
３０２  Ｂｌｕｅｔｏｏｔｈ伝送モジュール
３０４  管理制御モジュール
３０６  機能素子
【図１】
0003201087.tif 000003
【図２Ａ】
0003201087.tif 000004
【図２Ｂ】
0003201087.tif 000005
【図３Ａ】
0003201087.tif 000006
【図３Ｂ】
0003201087.tif 000007